(57)【要約】【課題】排出口を開けた時に、一定容積の半圧縮状態に再膨張してこの状態にて拘束できるようにした羽毛布団の半圧縮保管方法、及び半圧縮保管具を提供する。【解決手段】気密性収納袋１と拘束袋７とからなる半圧縮保管具を用いて羽毛布団２を半圧縮保管する。先ず、通風乾燥済の羽毛布団２を可撓性のある気密性収納袋１内に収納した後、該気密性収納袋１に設けてある排出口４から内部の空気を排出して平坦状に圧縮し、排出口４キャップ５で閉塞する。次に、該気密性収納袋１内に収納して平坦状に圧縮した該羽毛布団２を筒体状に丸め、該筒体状の羽毛布団２を、少なくとも一端が開口されて所定容積に膨出可能な非伸縮性素材でなる拘束袋７内に袋詰めする。爾後、該キャップ５を取り外して該排出口４を通じて該気密性収納袋１内に空気を流入させて、該拘束袋７の所定容積まで膨張させた後、該排出口４をキャップ５で閉塞して密封保管する。【選択図】      図２
2006076607.tif 000002
【特許請求の範囲】
【請求項１】
通風乾燥済の羽毛布団を可撓性のある気密性収納袋内に収納した後、該気密性収納袋に設けてある排出口から内部の空気を排出して平坦状に圧縮する工程と、
該気密性収納袋内に収納して平坦状に圧縮した該羽毛布団を筒体状に丸め、該筒体状の羽毛布団を、少なくとも一端が開口されて所定容積に膨出可能な非伸縮性素材でなる拘束袋内に袋詰めする工程と、
該排出口を通じて該気密性収納袋内に空気を流入させて、該拘束袋の所定容積まで膨張させた後、該排出口を閉塞して密封する工程と、
からなることを特徴とする羽毛布団の半圧縮保管方法。
【請求項２】
内部空気を排出可能な排出口を備えて、通風乾燥済の羽毛布団を平坦状に圧縮収納可能な可撓性を有した気密性収納袋と、
該気密性収納袋内に圧縮収納されて筒体状に丸められた羽毛布団が詰められ、該気密性収納袋内に空気を流入させた時に、該気密性収納袋の膨張を所定容積に留めて拘束する、少なくとも一端が開口されて所定容積に膨張可能な非伸縮性素材でなる拘束袋と、
からなり、該拘束袋内に詰めた該気密性収納袋内に該排出口から空気を再流入させて、該羽毛布団を所定容積の半圧縮状態で気密保管することを特徴とする羽毛布団の半圧縮保管具。
【発明の詳細な説明】
【技術分野】
【０００１】
本発明は、羽毛布団の半圧縮格納方法に関する。
【背景技術】
【０００２】
布団のうち羽毛布団を格納保存する場合には、通常は通気乾燥を十分行った後、通気性の良い専用の布団収納袋に入れ、押入などに格納している。  
しかし、一般に押入は湿気の多い場所であり、格納中に湿気が布団の中に入り込むため、良好な格納方法とはいえない。
【０００３】
ところで、押入などの省スペース化のため、布団などの収納に際し、ポリエチレンなどの気密性材料からなる袋に布団などを収納し、この収納口をファスナーで密封した後、袋内部を真空式電気掃除機などにより真空吸引することにより、その体積をほぼ１／３ほどに圧縮した上で収納する方法がある。この方法は省スペースに有効であるだけでなく、防カビ、防ダニなどの効果もある。
【０００４】
この方法において、袋の一部に空気の排出口を開口し、かつこの排出口に逆止弁機構を設け、布団を袋内に入れ、ファスナにより袋内部を密封した後、逆止弁機構に掃除機などのノズルを接続して真空吸引して密閉する構造が開発されている。この構造では、吸引後はファスナーを開かない限りは完全に真空状態に維持できる。
【０００５】
したがって、羽毛布団を乾燥状態に保つには前記気密性袋体内に密封状態で格納することが望ましいが、羽毛布団の場合には、完全に扁平化した状態で真空保存すると、常圧に戻した際に元の形状に戻りにくい傾向にある。これは、羽毛布団の構成単位であるダウンが空気を含むことによって布団全体が膨張し、一定の厚みに保たれているからである。したがって、完全に空気を抜くことにより、ダウンそのものが圧縮扁平化し、その状態で長期ストレスが与えられていることにより元に戻ろうとする弾性が損われるため、真空を解除した際に元の厚さに回復しにくくなるからであろうと推測される。
【０００６】
このため、羽毛布団を減容化して収納保管する場合には、完全に圧縮するのでなく、半圧縮状態で格納することが望ましく、具体的には吸引して圧縮した後、一旦その排出口を開放して僅かに空気を内部に吸い込ませることで再膨張させればよい。
【発明の開示】
【発明が解決しようとする課題】
【０００７】
しかし、この方法では、実際にはどの程度戻すかの基準が曖昧であり、また排出口を開けたとたんに空気が過剰に入って、元の厚みに戻ってしまいやすく、開けた後に閉じるまでのタイミングの調整が面倒となっていた。
【０００８】
本発明は以上の課題を解決するためになされたものであって、その目的は、排出口を開けた時に、一定容積の半圧縮状態に再膨張してこの状態にて拘束できるようにした羽毛布団の半圧縮保管方法、及び半圧縮保管具を提供することにある。
【課題を解決するための手段】
【０００９】
前記目的を達成するため、本発明にかかる方法羽毛布団の半圧縮保管方法では、通風乾燥済の羽毛布団を可撓性のある気密性収納袋内に収納した後、該気密性収納袋に設けてある排出口から内部の空気を排出して平坦状に圧縮する工程と、該気密性収納袋内に収納して平坦状に圧縮した該羽毛布団を筒体状に丸め、該筒体状の羽毛布団を、少なくとも一端が開口されて所定容積に膨出可能な非伸縮性素材でなる拘束袋内に袋詰めする工程と、該排出口を通じて該気密性収納袋内に空気を流入させて、該拘束袋の所定容積まで膨張させた後、該排出口を閉塞して密封する工程と、からなることを特徴とする。
【００１０】
また、前記目的を達成するため、本発明にかかる羽毛布団の半圧縮保管具では、内部空気を排出可能な排出口を備えて、通風乾燥済の羽毛布団を平坦状に圧縮収納可能な可撓性を有した気密性収納袋と、該気密性収納袋内に圧縮収納されて筒体状に丸められた羽毛布団が詰められ、該気密性収納袋内に空気を流入させた時に、該気密性収納袋の膨張を所定容積に留めて拘束する、少なくとも一端が開口されて所定容積に膨張可能な非伸縮性素材でなる拘束袋とからなり、該拘束袋内に詰めた該気密性収納袋内に該排出口から空気を再流入させて、該羽毛布団を所定容積の半圧縮状態で気密保管することを特徴とする。
【発明の効果】
【００１１】
したがって、本発明にかかる羽毛布団の半圧縮保管方法及び半圧縮保管具によれば、気密性収納袋内に収納された羽毛布団の膨張は拘束袋によって規制され、当該拘束袋内にて拘束された状態で所定容積まで再膨張し、この状態に保持されるため、拘束袋の容積のみを決めておけば、その圧縮度合を一意的に定めることができる。
【発明を実施するための最良の形態】
【００１２】
以下本発明の実施の形態につき添付図面を参照して説明する。図１、２は本発明の羽毛布団の半圧縮保管方法の手順を示すものである。
【００１３】
まず図１（ａ）は、布団を圧縮して収納する収納袋１及びこれに収納される羽毛掛布団２を示すものであり、収納袋１はポリエチレンシート、塩ビシート、ナイロンシートなど気密性かつ可撓性に富むシート材料からなるもので、掛布団２の縦横寸法に対し若干大きめに作られ、その三辺は塞がれ、長手方向一側縁にはこれに沿って気密性のファスナ３が設けられ、このファスナ３を介して収納袋１の内部を開閉可能としている。
【００１４】
また、ファスナ３の近傍にあって長手方向一端部には真空吸引用の排出口４が設けられている。この排出口４は脱着可能な密封用のキャップ５によって閉栓して密封閉塞するようになっている。
【００１５】
以上の収納袋１に布団２を収納するには、同図（ａ）に示すごとく、キャップ５を取去り、ファスナ３を明けた状態で、布団２を展開状態のまま収納袋２内に入れ、次いで図１（ｂ）に示すごとくファスナ３を閉じれば収納袋１内に完全に収納される。
【００１６】
その後は、（ｃ）に示すごとく、排出口４に電気掃除機の吸引ノズル６を嵌合し、スイッチを入れれば、内部の空気は矢印のごとく吸引され、またその結果、収納袋１ごと布団２は平坦状に圧縮収納され、排出口４キャップ５で閉栓することで平坦状態に保持される。そして、この平坦化した布団２を（ｄ）のごとく筒状に丸める。
【００１７】
丸めた後は、図２（ａ）に示すごとく、上部が開口した拘束袋７内に収納する。拘束袋７は可撓性を有するものであって、非伸縮性の素材、例えばナイロンなどの縫製品、塩ビシート製袋などからなるもので、これが最大径まで膨張したときの容積は、前記布団２の元の容積の半分程度に設定されており、また丸められた布団２の上部がその排出口４より突出する高さに設定されている。
【００１８】
そして、収納状態で、収納袋１の排出口４が突出する方向で収納し、次いで（ｂ）に示すように、排出口４のキャップ５を取り外して、収納袋１内に空気を導入し、布団２自体の圧縮回復力によって、（ｃ）に示すごとく巻かれたままの状態で再膨張させ、その径を膨らます。このとき、収納袋１は拘束袋７の最大径まで膨らんだ時点でその膨張状態が規制され、羽毛掛布団２は半圧縮状態にて収納されることになる。その後は排出口４にキャップ５を嵌め付けることで作業が完了する。
【００１９】
保管は図示のごとくいずれかの場所に立て掛けても良いし、横に寝かせた状態で保管することもできるが、いずれにしろ重ねるなどして、荷重を加えた場合には無用なストレスを与える原因となるため、例えば寝かせた状態で保管するには、押入の最上部位置などに設置しておけばよい。
【００２０】
なお、前記拘束袋７は圧縮回復の程度に応じて各種寸法のものを複数用意しておき、この中から、希望する圧縮状態となるものを選択するようにもできる。また、販売方法としても従来からある収納袋１のセットに２，３枚の拘束袋７と、説明書きなどを添付すれば羽毛布団の半圧縮保管具としてパッケージ化でき、特に大幅な変更を伴うことなく実施できる。また、図示例では拘束袋７は有底状としているが、両端を開放させた筒状の袋であっても良い。
【図面の簡単な説明】
【００２１】
【図１】（ａ）〜（ｄ）は本発明にかかる羽毛布団の半圧縮保管方法の作業手順を示す説明図である。
【図２】（ａ）〜（ｃ）は図１に引続く作業手順を示す説明図である。
【符号の説明】
【００２２】
１  収納袋
２  羽毛掛布団
３  ファスナ
４  排出口
６  吸引ノズル
７  拘束袋
【図１】
2006076607.tif 000003
【図２】
2006076607.tif 000004